(57)【要約】【課題】小型情報機器に使用するスピーカーあるいは、レシーバーを薄型化し、また、可変性を備え、液晶表示パネルと平面的に一部重なる構成が採用可能であり、さらに、液晶表示パネルと駆動回路の接続に使用するフレキシブルプリント基板にスピーカーあるいはレシーバーを搭載するフレキシブルプリント基板一体型圧電部材により、小型、薄型化、軽量化を達成する。【解決手段】本発明のフレキシブルプリント基板一体型圧電部材は、電気信号により厚さ変動を行う圧電フィルムと、該圧電フィルムの一方の面に設ける第１のスピーカー電極と、他方の面に設ける第２のスピーカー電極とを有するフィルム圧電部材と、該フィルム圧電部材の少なくとも一方の電極と接続するフレキシブルプリント基板とを有する。【選択図】      図５
2005033505.tif 000002
【特許請求の範囲】
【請求項１】
電気信号により厚さ変動を行う圧電フィルムと、該圧電フィルムの一方の面に設ける第１のスピーカー電極と、他方の面に設ける第２のスピーカー電極とを有するフィルム圧電部材と、該フィルム圧電部材の少なくとも一方の電極と接続するフレキシブルプリント基板とを有するフレキシブルプリント基板一体型圧電部材。
【請求項２】
電気信号により厚さ変動を行う圧電フィルムと、該圧電フィルムの一方の面に設ける第１のスピーカー電極と、他方の面に設ける第２のスピーカー電極とを有するフィルム圧電部材と、該フィルム圧電部材の少なくとも一方の電極と接続するフレキシブルプリント基板とを有し、
該フィルム圧電部材の一方の電極面とフレキシブルプリント基板とが密着していることを特徴とするフレキシブルプリント基板一体型圧電部材。
【請求項３】
電気信号により厚さ変動を行う圧電フィルムと、該圧電フィルムの一方の面に設ける第１のスピーカー電極と、他方の面に設ける第２のスピーカー電極とを有するフィルム圧電部材と、該フィルム圧電部材の少なくとも一方の電極と接続するフレキシブルプリント基板とを有し、
該フィルム圧電部材の一方の電極面とフレキシブルプリント基板とが密着し、該フィルム圧電部材の他方の電極面上に保護部材を有することを特徴とするフレキシブルプリント基板一体型圧電部材。
【請求項４】
電気信号により厚さ変動を行う圧電フィルムと、該圧電フィルムの一方の面に設ける第１のスピーカー電極と、他方の面に設ける第２のスピーカー電極とを有するフィルム圧電部材と、
該フィルム圧電部材の第１のスピーカー電極面上には、フレキシブルプリント基板上に設ける第１のＦＰＣ上接続電極と電気的に接続する第１のスピーカー接続電極を有し、
該フィルム圧電部材の第２のスピーカー電極面上には、フレキシブルプリント基板上に設ける第２のＦＰＣ上接続電極と電気的に接続する第２のスピーカー接続電極を有し、
該第１のスピーカー電極とフレキシブルプリント基板とが密着していることを特徴とするフレキシブルプリント基板一体型圧電部材。
【請求項５】
電気信号により厚さ変動を行う圧電フィルムと、該圧電フィルムの一方の面に設ける第１のスピーカー電極と、他方の面に設ける第２のスピーカー電極とを有するフィルム圧電部材と、
該フィルム圧電部材の第１のスピーカー電極面上には、フレキシブルプリント基板上に設ける第１のＦＰＣ上接続電極と電気的に接続する第１のスピーカー接続電極を有し、
該フィルム圧電部材の第２のスピーカー電極面上には、フレキシブルプリント基板上に設ける第２のＦＰＣ上接続電極と電気的に接続する第２のスピーカー接続電極を有し、
該第１の電極とフレキシブルプリント基板とが密着し、
第２のスピーカー電極上には、保護部材を有することを特徴とするフレキシブルプリント基板一体型圧電部材。
【請求項６】
電気信号により厚さ変動を行う圧電フィルムと、該圧電フィルムの一方の面に設ける第１のスピーカー電極と、他方の面に設ける第２のスピーカー電極とを有するフィルム圧電部材と、
該フィルム圧電部材の第１のスピーカー電極面上には、フレキシブルプリント基板上に設ける第１のＦＰＣ上接続電極と電気的に接続する第１のスピーカー接続電極を有し、
該フィルム圧電部材の第２のスピーカー電極面上には、フレキシブルプリント基板上に設ける第２のＦＰＣ上接続電極と電気的に接続する第２のスピーカー接続電極を有し、
該第１のスピーカー電極とフレキシブルプリント基板とが密着し、
該第１のスピーカー電極と第１のスピーカー接続電極とは、圧接により電気的に接続し、
該第２のスピーカー電極は、フレキシブルプリント基板から第２のスピーカー電極上に延伸し、圧接により電気的に接続し、
さらに、第２のスピーカー電極上には、保護部材を有し、
該保護部材により、フレキシブルプリント基板の基材と各電極とを密着させる構成を有することを特徴とするフレキシブルプリント基板一体型圧電部材。
【請求項７】
該保護部材は、防水性を有することを特徴とする請求項５あるいは６に記載するフレキシブルプリント基板一体型圧電部材。
【請求項８】
前記フィルム圧電部材には、フレキシブルプリント基板上に設ける第１のスピーカー電極あるいは、第２のスピーカー電極と電気的接続を行うための貫通孔からなるスピーカー上下導通部を有することを特徴とする請求項１乃至７のいずれか一に記載するフレキシブルプリント基板一体型圧電部材。
【請求項９】
該フィルム圧電部材上に設ける第１の電極と第２の電極の少なくとも一方は水溶性導電膜であることを特徴とする請求項１乃至８のいずれかに記載するフレキシブルプリント基板一体型圧電部材。
【請求項１０】
前記フレキシブルプリント基板上には複数の前記圧電フィルムを有することを特徴とする請求項１乃至９のいずれか一に記載するフレキシブルプリント基板一体型圧電部材。
【請求項１１】
前記フレキシブルプリント基板を構成するポリイミド樹脂層の両面に前記圧電フィルムを有することを特徴とする請求項１乃至１０のいずれか一に記載するフレキシブルプリント基板一体型圧電部材。
【請求項１２】
前記フレキシブルプリント基板上に設ける圧電フィルムは凹面からなる湾曲面である請求項１乃至１１のいずれか一に記載するフレキシブルプリント基板一体型圧電部材。
【請求項１３】
前記フレキシブルプリント基板上に設ける圧電フィルムは凹面からなる湾曲面を有し、
さらに、圧電フィルムを保持するフレキシブルプリント基板もフレキシブルプリント基板の湾曲面とほぼ同等の曲率を有する湾曲面を有することを特徴とするを請求項１２に記載するフレキシブルプリント基板一体型圧電部材。
【請求項１４】
前記フレキシブルプリント基板上に設ける第１のスピーカー電極と圧電フィルムと第２のスピーカー電極からなるスピーカーと、バックライトを構成する発光体とは、同一のフレキシブルプリント基板上に実装されていることを特徴とする請求項１乃至１３のいずれか一に記載するフレキシブルプリント基板一体型圧電部材。
【請求項１５】
前記フレキシブルプリント基板上に設ける第１のスピーカー電極と圧電フィルムと第２のスピーカー電極からなるスピーカーと、撮像素子とは、同一のフレキシブルプリント基板上に実装されていることを特徴とする請求項１乃至１４のいずれか一に記載するフレキシブルプリント基板一体型圧電部材。
【請求項１６】
前記フレキシブルプリント基板上に設ける第１のスピーカー電極と圧電フィルムと第２のスピーカー電極からなるスピーカーを有し、該フレキシブルプリント基板は、第１の基板と第２の基板とを対向して設け、該第１の基板と第２の基板との間隙に液晶層を封入してなる液晶表示パネルと電気的に接続し、
さらに、該フレキシブルプリント基板は、液晶表示パネルの観察面と反対の面に対向して設ける部分を有し、
該スピーカーの少なくとも一部は、該液晶表示パネルの観察面と反対の面に設けることを特徴とする請求項１乃至１３のいずれか一に記載するフレキシブルプリント基板一体型圧電部材を有する液晶表示装置用電子機器。
【請求項１７】
前記フレキシブルプリント基板上に設ける第１のスピーカー電極と圧電フィルムと第２のスピーカー電極からなるスピーカーを有し、該フレキシブルプリント基板は、第１の基板と第２の基板とを対向して設け、該第１の基板と第２の基板との間隙に液晶層を封入してなる液晶表示パネルと電気的に接続し、
さらに、該フレキシブルプリント基板は、液晶表示パネルの観察面と反対の面に対向して設ける部分を有し、
該スピーカーの少なくとも一部は、該液晶表示パネルの観察面と反対の面に設けることを特徴とする請求項１乃至１３のいずれか一に記載するフレキシブルプリント基板一体型圧電部材を有する液晶表示装置用電子機器。
【請求項１８】
時計用駆動回路基板を有し、該駆動回路からの信号により時刻表示を行う時計用電子機器において、
フレキシブルプリント基板上に設ける第１のスピーカー電極と圧電フィルムと第２のスピーカー電極からなるスピーカーを時計内に有し、該フレキシブルプリント基板は、時計駆動用回路基板に接続することを特徴とする時計用電子機器。
【請求項１９】
該スピーカーを実装するフレキシブルプリント基板は、少なくとも一部で時計ケースの内面と密着する部分を有することを特徴とする請求項１８に記載する時計用電子機器。
【請求項２０】
該スピーカーを実装するフレキシブルプリント基板には、時計を駆動するエネルギー発電素子として、太陽電池ユニットを実装し、該フレキシブルプリント基板上の配線電極を介して時計用駆動回路基板に接続することを特徴とする請求項１８あるいは１９の時計用電子機器。
【請求項２１】
該スピーカーを実装するフレキシブルプリント基板には、時計を駆動するエネルギー発電素子として、太陽電池ユニットを実装し、該太陽電池ユニットは、時計モジュールの外周部でかつ、風防ガラス側に設けることを特徴とする請求項２０に記載する時計用電子機器。
【発明の詳細な説明】
【０００１】
【発明の属する技術分野】
本発明は電子機器に利用するスピーカーあるいは、レシーバーを小容積、軽量であり、さらに形状の自由度を向上し、電子機器へのスピーカーの利用範囲を拡大するフレキシブルプリント基板一体型圧電部材の構成とフレキシブルプリント基板一体型圧電部材を有する電子機器の構成に関する。
【０００２】
【従来の技術】
近年、各種電子機器には、音声を電子機器の利用者に伝達するために小型のスピーカーあるいはレシーバーの開発あるいは、実装された電子機器が数多く実施されている。
【０００３】
特に携帯電話に代表される小型携帯情報機器では、外形を小さく、軽量にする上に、ケース内に搭載する部材が複雑かつ、多様化している。その一例としてパネル上に薄膜スピーカーを接着する構成が開示されている。（例えば、特許文献１参照。）。また、他の例として可撓性を有する薄膜スピーカーを各種表示体上に搭載する構成が開示されている。（例えば、特許文献２参照。）。表示体上に薄膜スピーカーを搭載する場合には、薄膜スピーカーによる表示体の表示品質の低下が犠牲となる。また、薄膜スピーカーを構成する材料の透過率、色が非常に制限を受け、高信頼性の薄膜スピーカーを利用することが難しい。
【０００４】
また、柔軟性を有する薄膜スピーカーの構成が開示されている。（例えば、特許文献３参照。）。また、湾曲した構造のスピーカーの構成も開示されている。（例えば、特許文献４参照。）。小型化、あるいは柔軟性を有する構成が記載されているが、各種表示体と駆動回路との接続に利用するフレキシブルプリント基板上に薄膜スピーカーを実装する形態は記載されていない。また、具体的構造は記載されていない。さらに、複数の表示体間の接続し使用するフレキシブルプリント基板上に薄膜スピーカーを実装する構成。さらに、フレキシブルプリント基板上に複数の薄膜スピーカーを実装する構成に関しては記載されていない。
【０００５】
小型電子機器として携帯電話の構成を図２１および、図２２を用いて説明する。図２１と図２２は、折りたたみ式の携帯電話器の立体模式図とレシーバーを内蔵する部分の平面図であ。図２１は、携帯電話器の蓋部を携帯電話器本体から開き、主液晶表示パネル（第１の液晶表示パネル）を表示している状態を示す立体模式図である。図２２は、主液晶表示パネルと副液晶表示パネル（第２の液晶表示パネル）とレシーバーおよび、接続を示す平面図である。
【０００６】
図２１に示すよに、携帯電話器本体には、数字あるいは、文字入力、モード選択、電源スイッチ、画面スクロール等を行う複数の入力ボタン７３と、マイク７３とを有する。携帯電話器蓋部には、第１の液晶表示パネル４と第２の液晶表示パネル５が背中合わせに配置してあり、第１の液晶表示パネル実装側には、スピーカー７２を有する。呼び出し音に使用するスピーカーを呼び出し音用スピーカーあるいは単にスピーカーと称し、携帯電話の送受信に利用するスピーカーをレシーバーと称する。本図２２では、代表してスピーカーに関して説明する。
【０００７】
第１の液晶表示パネル４には、第１の液晶表示パネル表示内容として、通信内容、メール内容、インターネット情報、電話番号、電池残量、受信状況、使用者の必要な情報を表示する。
【０００８】
携帯電話器裏蓋６７には、アンテナ６９と撮像素子（図示せず）を有する。携帯電話器裏蓋６７を閉じた状態では、第２の液晶表示パネル５を表示し、必要に応じてバックライト（図示せず）を点灯する。第２の液晶表示パネル５には、撮像素子の撮影状況、メール受信情報、受信状況、電池残量、携帯電話器の情報を表示する。第１の液晶表示パネル４に比較して、第２の液晶表示パネル５の表示容量は少なくしてある。
【０００９】
第１の液晶表示パネル４と駆動回路（図示せず）との接続は、フレキシブルプリント基板３５により行う。また、第２の液晶表示パネル５と駆動回路（（図示せず））との接続もフレキシブルプリント基板３５により行う。さらに、スピーカー７２は、フレキシブルプリント基板３５と、第１のスピーカー用リード電極１１３と第２のスピーカー用リード電極１１４が接続している。
【００１０】
本従来例に示す構造では、スピーカーの厚みが数ｍｍ、大きさがある程度大きいため、第１の液晶表示パネル４と重ね合わせて配置すると形態電話の厚みが厚くなり、そのため、第１の液晶表示パネルよりはみ出す構成を採用している。結果として、第１の液晶表示パネルと平面的に重なる領域以外にスピーカーを実装する領域が必要となり、結果として、大きい携帯電話になってしまう。本従来例では、撮像素子、認証素子を実装していないが、今後搭載する機種が増えるため、益々スピーカーを搭載する場所の制約が強くなる。携帯電話の場合には、スピーカーとマイクの位置は、人間の耳と口の関係から大まか位置が決定するため、スペースがあれば何処にでも配置すればよいわけではない。
【００１１】
【特許文献１】
特開２００２−３３０４９６号公報（第２−３頁、図４）
【特許文献２】
特開２００３−１２５３１５号公報（第２−４頁、図１）
【特許文献３】
特開平０８−８８８９６号公報（第２−３頁、図１）
【特許文献４】
特開平１０−１６４１９３号公報（第３−４頁、図１）
【００１２】
【発明が解決しようとする課題】
以上に説明したように、チップ型のスピーカーあるいはレシーバーでは、厚さが数ｍｍあり、さらに、可撓性がないため、第１の液晶表示パネルと平面的に重なる領域に実装することが難しく、さらに、液晶表示パネルの脇にＬ字に曲げて配置する等の空きスペースにまたがった配置を取ることが難しい。
【００１３】
さらに、公知例で示したように、表示体の視認側に配置する場合には、薄膜スピーカーの透過率、色調が非常に重要となり、スピーカーの構成部材を非常に限定する。そのため、圧電フィルムの種類、圧電フィルム上に形成するスピーカー電極材料を限定し、特に、スピーカー電極材料と圧電フィルムとの密着強度が不十分のため、スピーカーを使用中に、スピーカー電極材料が圧電フィルムから剥離する、電極材料に皹が入る。圧電フィルムが劣化する問題が発生する。
【００１４】
さらに、スピーカーとスピーカー用の音源発生駆動回路との接続方法、あるいは、接続部材が必要となる。そのため、コストアップ、実装面積アップにもなる。
【００１５】
（発明の目的）
本発明の目的は、小型情報機器に使用するスピーカーあるいは、レシーバーを薄型化し、また、可変性を備え、液晶表示パネルと平面的に一部重なる構成が採用可能であり、さらに、液晶表示パネルと駆動回路の接続に使用するフレキシブルプリント基板にスピーカーあるいはレシーバーを搭載するフレキシブルプリント基板一体型圧電部材により、小型、薄型化、軽量化を達成することを目的とする。
【００１６】
【課題を解決するための手段】
上記目的を達成するために、本発明は、以下の構成を採用する。
【００１７】
本発明は、電気信号により厚さ変動を行う圧電フィルムと、該圧電フィルムの一方の面に設ける第１のスピーカー電極と、他方の面に設ける第２のスピーカー電極とを有するフィルム圧電部材と、該フィルム圧電部材の少なくとも一方の電極と接続するフレキシブルプリント基板とを有するフレキシブルプリント基板一体型圧電部材の構成とする。
【００１８】
本発明は、電気信号により厚さ変動を行う圧電フィルムと、該圧電フィルムの一方の面に設ける第１のスピーカー電極と、他方の面に設ける第２のスピーカー電極とを有するフィルム圧電部材と、該フィルム圧電部材の少なくとも一方の電極と接続するフレキシブルプリント基板とを有し、フィルム圧電部材の一方の電極面とフレキシブルプリント基板とが密着していることを特徴とするフレキシブルプリント基板一体型圧電部材の構成とする。
【００１９】
本発明は、電気信号により厚さ変動を行う圧電フィルムと、該圧電フィルムの一方の面に設ける第１のスピーカー電極と、他方の面に設ける第２のスピーカー電極とを有するフィルム圧電部材と、フィルム圧電部材の少なくとも一方の電極と接続するフレキシブルプリント基板とを有し、フィルム圧電部材の一方の電極面とフレキシブルプリント基板とが密着し、フィルム圧電部材の他方の電極面上に保護部材を有することを特徴とするフレキシブルプリント基板一体型圧電部材の構成とする。
【００２０】
本発明は、電気信号により厚さ変動を行う圧電フィルムと、該圧電フィルムの一方の面に設ける第１のスピーカー電極と、他方の面に設ける第２のスピーカー電極とを有するフィルム圧電部材と、フィルム圧電部材の第１の電極面上には、フレキシブルプリント基板上に設ける第１のＦＰＣ接続電極と電気的に接続する第１のスピーカー接続電極を有し、フィルム圧電部材の第２のスピーカー電極面上には、フレキシブルプリント基板上に設ける第２のＦＰＣ上接続電極と電気的に接続する第２のスピーカー接続電極を有し、第１のスピーカー電極とフレキシブルプリント基板とが密着していることを特徴とするフレキシブルプリント基板一体型圧電部材の構成とする。
【００２１】
本発明は、電気信号により厚さ変動を行う圧電フィルムと、該圧電フィルムの一方の面に設ける第１のスピーカー電極と、他方の面に設ける第２のスピーカー電極とを有するフィルム圧電部材と、フィルム圧電部材の第１のスピーカー電極面上には、フレキシブルプリント基板上に設ける第１のＦＰＣ上接続電極と電気的に接続する第１のスピーカー接続電極を有し、フィルム圧電部材の第２のスピーカー電極面上には、フレキシブルプリント基板上に設ける第２のＦＰＣ上接続電極と電気的に接続する第２のスピーカー接続電極を有し、第１の電極とフレキシブルプリント基板とが密着し、第２のスピーカー電極上には、保護部材を有することを特徴とするフレキシブルプリント基板一体型圧電部材の構成とする。
【００２２】
本発明は、電気信号により厚さ変動を行う圧電フィルムと、該圧電フィルムの一方の面に設ける第１のスピーカー電極と、他方の面に設ける第２のスピーカー電極とを有するフィルム圧電部材と、フィルム圧電部材の第１のスピーカー電極面上には、フレキシブルプリント基板上に設ける第１のＦＰＣ上接続電極と電気的に接続する第１のスピーカー接続電極を有し、フィルム圧電部材の第２のスピーカー電極面上には、フレキシブルプリント基板上に設ける第２のＦＰＣ上接続電極と電気的に接続する第２のスピーカー接続電極を有し、第１のスピーカー電極とフレキシブルプリント基板とが密着し、第１のスピーカー電極と第１のスピーカー接続電極とは、圧接により電気的に接続し、第２のスピーカー電極は、フレキシブルプリント基板から第２のスピーカー電極上に延伸し、圧接により電気的に接続し、さらに、第２のスピーカー電極上には、保護部材を有し、保護部材により、フレキシブルプリント基板の基材と各電極とを密着させる構成を有することを特徴とするフレキシブルプリント基板一体型圧電部材の構成とする。
【００２３】
本発明のフレキシブルプリント基板一体型圧電部材を構成する保護部材は、防水性を有することを特徴とする。
【００２４】
本発明のフレキシブルプリント基板一体型圧電部材を構成するフィルム圧電部材には、フレキシブルプリント基板上に設ける第１のスピーカー電極あるいは、第２のスピーカー電極と電気的接続を行うための貫通孔からなるスピーカー上下導通部を有することを特徴とする。
【００２５】
本発明のフレキシブルプリント基板一体型圧電部材を構成するフィルム圧電部材上に設ける第１の電極と第２の電極の少なくとも一方は水溶性導電膜であることを特徴とする。
【００２６】
本発明のフレキシブルプリント基板一体型圧電部材を構成するフレキシブルプリント基板上には複数の前記圧電フィルムを有することを特徴とする。
【００２７】
本発明のフレキシブルプリント基板一体型圧電部材を構成するフレキシブルプリント基板のポリイミド樹脂層の両面に圧電フィルムを有することを特徴とする。
【００２８】
本発明のフレキシブルプリント基板一体型圧電部材を構成するフレキシブルプリント基板上に設ける圧電フィルムは凹面からなる湾曲面であることを特徴とする。
【００２９】
本発明のフレキシブルプリント基板一体型圧電部材を構成するフレキシブルプリント基板上に設ける圧電フィルムは凹面からなる湾曲面を有し、さらに、圧電フィルムを保持するフレキシブルプリント基板もフレキシブルプリント基板の湾曲面とほぼ同等の曲率を有する湾曲面を有することを特徴とする。
【００３０】
本発明のフレキシブルプリント基板一体型圧電部材を構成するフレキシブルプリント基板上に設ける第１のスピーカー電極と圧電フィルムと第２のスピーカー電極からなるスピーカーと、バックライトを構成する発光体とは、同一のフレキシブルプリント基板上に実装されていることを特徴とする。
【００３１】
本発明のフレキシブルプリント基板一体型圧電部材を構成するフレキシブルプリント基板上に設ける第１のスピーカー電極と圧電フィルムと第２のスピーカー電極からなるスピーカーと、撮像素子とは、同一のフレキシブルプリント基板上に実装されていることを特徴とする。
【００３２】
本発明は、フレキシブルプリント基板上に設ける第１のスピーカー電極と圧電フィルムと第２のスピーカー電極からなるスピーカーを有し、フレキシブルプリント基板は、第１の基板と第２の基板とを対向して設け、第１の基板と第２の基板との間隙に液晶層を封入してなる液晶表示パネルと電気的に接続し、さらに、フレキシブルプリント基板は、液晶表示パネルの観察面と反対の面に対向して設ける部分を有し、スピーカーの少なくとも一部は、液晶表示パネルの観察面と反対の面に設けることを特徴とする。
【００３３】
本発明は、フレキシブルプリント基板上に設ける第１のスピーカー電極と圧電フィルムと第２のスピーカー電極からなるスピーカーを有し、フレキシブルプリント基板は、第１の基板と第２の基板とを対向して設け、第１の基板と第２の基板との間隙に液晶層を封入してなる液晶表示パネルと電気的に接続し、さらに、フレキシブルプリント基板は、液晶表示パネルの観察面と反対の面に対向して設ける部分を有し、スピーカーの少なくとも一部は、液晶表示パネルの観察面と反対の面に設けることを特徴とする。
【００３４】
本発明は、フレキシブルプリント基板上に設ける第１のスピーカー電極と圧電フィルムと第２のスピーカー電極からなるスピーカーを時計内に有し、フレキシブルプリント基板は、時計ケース内に設ける時計駆動用回路基板に接続することを特徴とする。さらに、スピーカーを実装するフレキシブルプリント基板は、少なくとも一部で時計ケースの内面と密着する部分を有することを特徴とする。
【００３５】
本発明は、スピーカーを実装するフレキシブルプリント基板には、時計を駆動するエネルギー発電素子として、太陽電池ユニットを実装し、フレキシブルプリント基板上の配線電極を介して時計用駆動回路基板に接続することを特徴とする。さらに、太陽電池ユニットは、時計モジュールの外周部でかつ、風防ガラス側に設けることを特徴とする。
【００３６】
（作用）
本発明のフレキシブルプリント基板一体型圧電部材を採用することにより、スピーカーあるいはレシーバーを薄くすることが可能となる。さらに、表示体と表示体を駆動する駆動回路との接続に使用するフレキシブルプリント基板上にスピーカーを実装するため、実装場所を特に必要としない。さらに、フレキシブルプリント基板と一緒にスピーカーを折り畳むことも可能となる。
【００３７】
以上の説明により、スピーカーを搭載する面積を小さくすることが出来るとともに、表示体の裏面に配置しても特に厚さの増加にならない。あるいは、表示体の脇、表示体の辺に沿って配置することも可能となる。
【００３８】
さらに、フレキシブルプリント基板上の電極とスピーカーを構成する電極と直接接続を行うため、接続面積も必要とせず、さらに、フレキシブルプリント基板と保護部材（保護フィルム）との間にスピーカーを実装するため、フレキシブルプリント基板と保護部材によりスピーカーの耐久性を向上することが可能となる。さらに、スピーカーを構成するスピーカー電極とフレキシブルプリント基板上に設ける接続電極との接続は、圧接接続を行い、保護部材で加圧状態とすることにより、接続の安定性を向上することができる。さらに、保護部材上から圧接加圧部材により、さらにスピーカー電極とフレキシブルプリント基板上の電極とを加圧状態とすることにより、スピーカーが振動しても安定な接続を可能とする。
【００３９】
保護部材を透水性の無いあるいは小さい部材とすることにより、水溶性導電性インキをスピーカー電極として使用することが可能となる。水溶性導電性インキは、圧電フィルムに応力を発生しない、あるいは柔らかく柔軟性があるため、本発明には有効である。さらに、表示体として液晶表示パネルを採用する場合には、液晶表示パネルが非発光表示体のため、内部照明が必要となる。内部照明を構成する光源をフレキシブルプリント基板一体型圧電部材上に実装することにより、スピーカーと光源を一体化することが可能となる。さらに、スピーカーの振動を光源に伝達することにより、光源が振動し、光源の出射方向を広くすることが可能となる、バックライトの輝度分布を低減することが可能となる。
【００４０】
スピーカーの指向性の構造と、音量の向上のために、スピーカーを搭載する部分のフレキシブルプリント基板に湾局面を設ける。さらに、フレキシブルプリント基板の下層の回路基板に凹部を設け、スピーカーをドーム型とすることにより、スピーカーの指向性を向上することが可能となる。
【００４１】
第１の液晶表示パネルと第２の液晶表示パネルの間を接続するフレキシブルプリント基板にフレキシブルプリント基板一体型圧電部材を採用することにより、簡単に、小型液晶表示パネルの周囲にスピーカーを配置することが可能となる。さるいは、小型液晶表示パネルの周囲と一部液晶表示パネルから張り出す部分にスピーカーを配置することが可能となる。
【００４２】
また、本発明を採用することにより、フレキシブルプリント基板上に複数の圧電フィルムを実装し、呼び出し音用スピーカー、レシーバー用スピーカーと個別にスピーカーを設けることができる。しかも、容積を取らず、フレキシブルプリント基板一体型圧電部材を折り畳む、あるいは曲げることで、必要な部分に個々のスピーカーを配置することが可能となる。
【００４３】
さらにフレキシブルプリント基板一体型圧電部材を構成するフレキシブルプリント基板の表面と裏面の両側に圧電フィルムを設け、スピーカーを形成することにより、音量の向上あるいは、呼び出し音用スピーカーとレシーバー用スピーカーを形成することが可能となる。大音量用として、面積を大きく。小音量用として面積を小さくすることが可能となり、消費電力も可変にすることが可能となる。
【００４４】
フレキシブルプリント基板一体型圧電部材上に撮像素子を実装することによりフレキシブルプリント基板を撮像素子と平面的に重なる領域あるいはその周囲に設けることが必要となるため、その部分にもスピーカーを設けることが可能となる。そのため、スピーカーを設ける領域が大きくなることと、選択領域が広がることになる。
【００４５】
本フレキシブルプリント基板一体型圧電部材を時計に採用することにより、小型軽量化が可能となる。さらに、時計のエネルギー源として、発電素子を有する場合には、発電素子をフレキシブルプリント基板一体型圧電部材上に実装することで配線スペースが不要となる。特に発電素子として、太陽電池ユニットを用いる場合には、太陽電池ユニットを風防ガラス側に設け、フレキシブルプリント基板一体型圧電部材で時計駆動用回路基板あるいは、蓄電池側に配線することが簡単にできる。
【００４６】
フレキシブルプリント基板一体型圧電部材は、時計ケースに一部接触させることにより、時計ケースを振動させることも可能となる。
【００４７】
【発明の実施の形態】
＜第１の実施形態＞
〔第１の実施形態におけるフレキシブルプリント基板一体型圧電部材と電子機器構造図：図１、図２、図３、図４、図５〕
以下に本発明を実施するための最良の形態におけるフレキシブルプリント基板一体型圧電部材とフレキシブルプリント基板一体型圧電部材を用いる小型電子機器について図面を参照しながら説明する。第１の実施形態の特徴は、主液晶表示パネル（第１の液晶表示パネル）と副液晶表示パネル（第２の液晶表示パネル）を有し、液晶表示パネル間の接続に使用するフレキシブルプリント基板がフレキシブルプリント基板一体型圧電部材である点である。図１は、本発明のフレキシブルプリント基板一体型圧電部材を使用する携帯電話の立体模式図である。図２は、携帯電話の別の形態での立体模式図である。図３は、携帯電話の液晶表示パネルとフレキシブルプリント基板一体型圧電部材の部分を示す断面図である。図４は、フレキシブルプリント基板一体型圧電部材を示す平面図である。図５は、フレキシブルプリント基板一体型圧電部材の断面図である。以下に、図１と図２と図３と図４と図５とを交互に用いて第１の実施形態を説明する。
【００４８】
図１は、従来例を示す図２１に相当する図面である。本発明を採用することにより、スピーカーを設ける領域はほとんどゼロとなり、表示面を大きくするか、携帯電話の長さを小さくできる。
【００４９】
図３は、図２のＡ−Ａ線におけるフレキシブルプリント基板一体型圧電部材とその周囲の関係を示す断面図である。第１の液晶表示パネル４は、第１の基板１と第１の基板上に設ける第１の電極２と、第１の基板１と所定の間隙を設けて対向する第２の基板６と第２の基板上に設ける第２の電極７とを有し、第１の基板と第２の基板とは、第１のシール材１４あるいは、封孔材（図示せず）により、液晶層を封入すると同時に、接着する。さらに、第２の基板６上には第２の基板側から第１の位相差板２１と第１の偏光板２０を有する。第１の基板１の液晶層９と反対の面には、第３の偏光板２４を有する。
【００５０】
第２の液晶表示パネル５は、第３の基板１１と第３の基板上に設ける第３の極１２と、第３の基板と所定の間隙を設けて対向する第４の基板１６と第４の基板上に設ける第４の電極１７とを有し、第３の基板と第４の基板とは、第２のシール材１５あるいは、封孔材（図示せず）により、液晶層を封入すると同時に、接着する。さらに、第４の基板１６上には第４の基板側から第２の位相差板２３と第２の偏光板２２を有する。第３の基板１１の液晶層１９と反対の面には、第４の偏光板２５を有する。
【００５１】
第１の液晶表示パネル４を構成する第１の基板１上には、表示領域から延伸する駆動回路接続電極３２と外部回路接続電極３７と、第１のパネル間接続電極４１とを有する。駆動回路接続電極３２と外部回路接続電極３７とは、第１の駆動回路（ＩＣ）部３１と異方性導電性フィルム（図示せず）により電気的に接続している。外部回路接続電極３７は、異方性導電フィルム２６によりフレキシブルプリント基板３５と電気的に接続している。フレキシブルプリント基板３５は、液晶表示パネルに所定の信号を印加する駆動回路（図示せず）と接続する。
【００５２】
第１のパネル間接続電極４１は、パネル間ＦＰＣ４３の第１のパネル間接続部４２により電気的に接続する。パネル間ＦＰＣは、第１の基板１と第３の基板１１の側壁を介して、第３の基板１１上に設ける第２のパネル間接続電極４５と、第２のパネル間接続部４６により接続する。
【００５３】
パネル間ＦＰＣ４３上に、ポリフッ化ビニリデン（ＰＶＤＦ）からなる圧電フィルムとスピーカー電極からなるレシーバー用スピーカー２７を有する。図４と図５を用いてレシーバー用スピーカーの詳細を説明する。図５は、図３のＢの円の部分を示す断面図である
【００５４】
パネル間ＦＰＣ４３は、ポリイミド樹脂からなる基材上に、銅からなる複数のＦＰＣ上パネル用電極６０と第１のスピーカー接続電極５３と第２のスピーカー接続電極５７とを形成する。以上の電極上に絶縁層５０を形成する。該絶縁層５０は、第１のスピーカー接続電極５３と第２のスピーカー接続電極５７上の一部には形成しない。絶縁層上には、絶縁層に面する面に設ける第１のスピーカー電極５４と圧電フィルム５５の他方の面に設ける第２のスピーカー電極５６とを有する圧電フィルム５５を設ける。
【００５５】
圧電フィルム５５には、第２のスピーカー電極５６と第２のスピーカー接続電極５７との電気的接続を行うために、スピーカー上下導通部５８を設け、第２のスピーカー電極５６と第２のスピーカー接続電極５７との電気的接続を行う。圧電フィルム（フィルム圧電部材）５５の第１のスピーカー電極面５６上には、フレキシブルプリント基板上に設ける第１のＦＰＣ上接続電極５１と電気的に接続する第１のスピーカー用接続電極５７を有し、圧電フィルム５５の第２のスピーカー電極５６面上には、フレキシブルプリント基板上に設ける第２のＦＰＣ上接続電極５２と電気的に接続する第２のスピーカー用接続電極５７を設ける。
【００５６】
圧電フィルム５５の全面に薄膜ポリイミド樹脂からなるスピーカー上保護フィルム５９を設ける。スピーカー上保護フィルムの透水性を低減するために真空スパッタリング法により形成する酸化シリコン膜からなる絶縁層を形成することにより防水性を有するスピーカー上保護フィルムとすることができる。防水性の高いスピーカー上保護フィルムを使用することにより、第２のスピーカー電極５６として、水溶性導電インキを使用することが可能となる。以上の構成によりフレキシブルプリント基板一体型圧電部材を形成することが可能となる。
【００５７】
フレキシブルプリント基板一体型圧電部材の第１のパネル間接続部４２および、第２のパネル間接続部４６の銅配線上には、ニッケルと金、あるいは金のみを被覆することにより、安定でかつ小さい接続抵抗とすることが可能となる。
【００５８】
フレキシブルプリント基板一体型圧電部材は第１の基板１と第３の基板１１の側面で折り曲げるため、圧電フィルム５５を設けず、さらに、スピーカー上保護フィルム５９を設けていない第１のＦＰＣ折り曲げ部６１と第２のＦＰＣ折り曲げ部６２とを設ける。以上の構成のフレキシブルプリント基板一体型圧電部材を採用することにより、非常に小型で、従来とほとんど変わらない面積でかつスピーカーを有するパネル間ＦＰＣとすることが可能となる。
【００５９】
＜第２の実施形態＞
〔第２の実施形態におけるフレキシブルプリント基板一体型圧電部材の構造：図６〕
以下に本発明の第２の実施形態におけるフレキシブルプリント基板一体型圧電部材の構造について図面を参照しながら説明する。第２の実施形態の特徴は、フレキシブルプリント基板上に設けるスピーカー接続電極と圧電フィルム上に設けるスピーカー電極との電気的接続を安定にするために、該電極上に圧接加圧部材を設ける点である。図６は、第１の実施形態の図５のフレキシブルプリント基板一体型圧電部材の別の構造を示す断面図である。以下に図６を用いて第２の実施形態を説明する。図５と同様な構成部材、名称には同様な記号を用いている。
【００６０】
フレキシブルプリント基板は、ポリイミド樹脂からなる基材上に、銅からなる複数のＦＰＣ上パネル用電極６０と第１のスピーカー接続電極５３と第２のスピーカー接続電極５７とを形成する。以上の電極上に絶縁層５０を形成する。該絶縁層５０は、第１のスピーカー接続電極５３と第２のスピーカー接続電極５７上の一部には形成しない。絶縁層上には、絶縁層に面する面に設ける第１のスピーカー電極５４と圧電フィルム５５の他方の面に設ける第２のスピーカー電極５６とを有する圧電フィルム５５を設ける。
【００６１】
圧電フィルム５５には、第２のスピーカー電極５６と第２のスピーカー接続電極５７との電気的接続を行うために、スピーカー上下導通部５８を設け、第２のスピーカー電極５６と第２のスピーカー接続電極５７との電気的接続を行う。
【００６２】
圧電フィルム５５の全面に薄膜ポリイミド樹脂からなるスピーカー上保護フィルム５９を設ける。スピーカー上保護フィルムの透水性を低減するために真空スパッタリング法により形成する酸化シリコン膜からなる絶縁層を形成することにより防水性を有するスピーカー上保護フィルムとすることができる。防水性の高いスピーカー上保護フィルムを使用することにより、第２のスピーカー電極５６として、水溶性導電インキを使用することが可能となる。以上の構成によりフレキシブルプリント基板一体型圧電部材を形成することが可能となる。
【００６３】
スピーカー電極５４、５６に水溶性導電膜を利用し、ＦＰＣ上に実装する場合に、フィルム層をフィルム層上に実装するため、フレキシブルプリント基板上に設けるスピーカー接続電極との電極的接続が弱く、さらに、圧電フィルム５５が振動するため、電極間あるいは、電極と圧電フィルム５５間で剥離が発生することを防止するために、スピーカー上保護フィルム５９を設けるとともに、スピーカー接続電極と平面的に重なる領域に、エポキシ樹脂からなる圧接加圧部材９４を設ける。本第２の実施形態では、図示していないが、該圧接加圧部材９４を第１の基板１と第３の基板１１とに押し当て、さらに、該圧接加圧部材９４のフレキシブルプリント基板に対して反対の面を固定部材に押し当てることで良好な接続を達成することが可能となる。
【００６４】
＜第３の実施形態＞
〔第３の実施形態におけるフレキシブルプリント基板一体型圧電部材と液晶表示パネルの構造：図７〕
以下に本発明の第３の実施形態におけるフレキシブルプリント基板一体型圧電部材と液晶表示パネルの構造について図面を参照しながら説明する。第３の実施形態の特徴は、第２の液晶表示パネルにフレキシブルプリント基板一体型圧電部材が接続し、第１の液晶表示パネルと第２の液晶表示パネルより張り出す構造だる点である。図７は、第１の実施形態の図３のフレキシブルプリント基板一体型圧電部材と液晶表示パネルとの別の構造を示す断面図である。以下に図７を用いて第３の実施形態を説明する。図３と同様な構成部材、名称には同様な記号を用いている。
【００６５】
図７は、フレキシブルプリント基板一体型圧電部材とその周囲の関係を示す断面図である。第１の液晶表示パネル４は、第１の基板１と第１の基板上に設ける第１の電極２と、第１の基板１と所定の間隙を設けて対向する第２の基板６と第２の基板上に設ける第２の電極７とを有し、第１の基板と第２の基板とは、第１のシール材１４あるいは、封孔材（図示せず）により、液晶層を封入すると同時に、接着する。さらに、第２の基板６上には第２の基板側から第１の位相差板２１と第１の偏光板２０を有する。第１の基板１の液晶層９と反対の面には、第３の偏光板２４を有する。
【００６６】
第２の液晶表示パネル５は、第３の基板１１と第３の基板上に設ける第３の極１２と、第３の基板と所定の間隙を設けて対向する第４の基板１６と第４の基板上に設ける第４の電極１７とを有し、第３の基板と第４の基板とは、第２のシール材１５あるいは、封孔材（図示せず）により、液晶層を封入すると同時に、接着する。さらに、第４の基板１６上には第４の基板側から第２の位相差板２３と第２の偏光板２２を有する。第３の基板１１の液晶層１９と反対の面には、第４の偏光板２５を有する。
【００６７】
第１の液晶表示パネル４を構成する第１の基板１上には、表示領域から延伸する駆動回路接続電極３２と外部回路接続電極３７とを有する。駆動回路接続電極３２と外部回路接続電極３７とは、第１の駆動回路（ＩＣ）部３１と異方性導電性フィルム（図示せず）により電気的に接続している。外部回路接続電極３７は、異方性導電フィルム２６によりフレキシブルプリント基板３５と電気的に接続している。フレキシブルプリント基板３５は、液晶表示パネルに所定の信号を印加する駆動回路（図示せず）と接続する。
【００６８】
第２の液晶表示パネル５を構成する第３の基板１１上に設ける第２の外部回路接続電極３８には、異方性導電フィルム２６により、フレキシブルプリント基板一体型圧電部材３９と電気的接続されている。本第３の実施形態に示す構造を採用することにより、第１の液晶表示パネル４あるいは第２の液晶表示パネル５からレシーバー用スピーカーを平面実装してなるフレキシブルプリント基板一体型圧電部材３９を張り出すことが可能となる。さらに、レシーバー用スピーカーの面積を大きくすることが可能となり、音質の改善が可能となる。
【００６９】
＜第４の実施形態＞
〔第４の実施形態におけるフレキシブルプリント基板一体型圧電部材と液晶表示パネルの構造：図８〕
以下に本発明の第４の実施形態におけるフレキシブルプリント基板一体型圧電部材と液晶表示パネルの構造について図面を参照しながら説明する。第４の実施形態の特徴は、第１の液晶表示パネルと第２の液晶表示パネルをフレキシブルプリント基板で接続し、外部回路との接続も同一のフレキシブルプリント基板で接続し、さらに、フレキシブルプリント基板上には、レシーバー用スピーカーと呼び出し音用スピーカーを設けている点である。さらに、フレキシブルプリント基板上の圧電フィルムは、レシーバー用スピーカーと呼び出し音用スピーカーとで分離している点である。図８は、携帯電話器蓋部内のフレキシブルプリント基板とその周囲を示す平面図である。以下に図８を用いて第４の実施形態を説明する。図３と同様な構成部材、名称には同様な記号を用いている。
【００７０】
図８は、第１の液晶表示パネル４には、第２の液晶表示パネル５とが重なり合って配置され、第１の液晶表示パネルとフレキシブルプリント基板３５とは、ＦＰＣ上第１の液晶表示パネル接続部８１により接続し、第２の液晶表示パネル５の図面右脇を迂回し、紙面奥側で第２の液晶表示パネル５とＦＰＣ上第２の液晶表示パネル接続部８２により接続する。
【００７１】
フレキシブルプリント基板３５上には、フレキシブルプリント基板の外周より内側に設ける圧電フィルム５５と、レシーバー用スピーカー電極８３とレシーバー用第１のスピーカー接続電極▲１▼８５と、レシーバー用第１のスピーカー接続電極▲２▼８６とレシーバー用第１のスピーカー接続電極▲３▼８７とからなるレシーバー用スピーカー２７を有する。
【００７２】
さらに、フレキシブルプリント基板３５上には、圧電フィルム５５と呼び出し音用スピーカー電極８４と呼び出し音用第１のスピーカー接続電極▲１▼８９と、呼び出し音用第１のスピーカー接続電極９０とからなる呼び出し音用スピーカー２８を有する。
【００７３】
以上の構成に示すように、スピーカーを設ける領域は、第１の液晶表示パネル４の内側で処理が可能であり、厚さも第２の液晶表示パネルの厚さと同程度か、さらに、薄くすることができた。圧電フィルム５５をフレキシブルプリント基板の外周より内側とすることで、圧電フィルム５５上に設けるスピーカー上保護フィルム５９により、圧電フィルム５５の全体を被覆することが可能となり、水分から圧電フィルム５５および電極を保護することが可能となる。
【００７４】
本実施形態を採用することにより、非常に厚さが薄く、実装面積の小さい液晶表示モジュールを提供することが可能となる。さらに信頼性の高いフレキシブルプリント基板一体型圧電部材を達成することが可能となる。
【００７５】
＜第５の実施形態＞
〔第５の実施形態におけるフレキシブルプリント基板一体型圧電部材と液晶表示パネルの構造：図９〕
以下に本発明の第５の実施形態におけるフレキシブルプリント基板一体型圧電部材と液晶表示パネルの構造について図面を参照しながら説明する。第５の実施形態の特徴は、第１の液晶表示パネルと第２の液晶表示パネルをフレキシブルプリント基板で接続し、さらに、フレキシブルプリント基板上には、レシーバー用スピーカーと呼び出し音用スピーカーを設け、圧電フィルムの外形がフレキシブルプリント基板の外形とほぼ一致している点である。図９は、携帯電話器蓋部内のフレキシブルプリント基板とその周囲を示す平面図である。以下に図９を用いて第５の実施形態を説明する。図８と同様な構成部材、名称には同様な記号を用いている。
【００７６】
図９は、第１の液晶表示パネル４には、第２の液晶表示パネル５とが重なり合って配置され、第１の液晶表示パネルとフレキシブルプリント基板３５とは、ＦＰＣ上第１の液晶表示パネル接続部８１により接続し、第２の液晶表示パネル５の図面右脇を迂回し、紙面奥側で第２の液晶表示パネル５とＦＰＣ上第２の液晶表示パネル接続部８２により接続する。
【００７７】
フレキシブルプリント基板３５上には、フレキシブルプリント基板の外周とほぼ同一の外周を有する圧電フィルム５５を設ける。同一の外周とすることにより、圧電フィルム５５を大きい面積の状態でフレキシブルプリント基板３５上に接着し、フレキシブルプリント基板３５の外形を型抜きで加工する際に同時に圧電フィルム５５を整形することが可能となる。
【００７８】
また、レシーバー用スピーカー２７は、レシーバー用スピーカー電極８３とレシーバー用第１のスピーカー接続電極▲１▼８５と、レシーバー用第１のスピーカー接続電極▲２▼８６とレシーバー用第１のスピーカー接続電極▲３▼８７とからなる。各電極は、フレキシブルプリント基板３５の外周の内側に設けるため、電極の劣化は無い。
【００７９】
さらに、フレキシブルプリント基板３５上には、圧電フィルム５５と呼び出し音用スピーカー電極８４と呼び出し音用第１のスピーカー接続電極▲１▼８９と、呼び出し音用第１のスピーカー接続電極９０とからなる呼び出し音用スピーカー２８を有する。各電極は、フレキシブルプリント基板３５の外周の内側に設けるため、電極の劣化は無い。
【００８０】
以上の構成に示すように、スピーカーを設ける領域は、第１の液晶表示パネル４の内側で処理が可能であり、厚さも第２の液晶表示パネルの厚さと同程度か、さらに、薄くすることができた。圧電フィルム５５をフレキシブルプリント基板の外周と同等とすることで、圧電フィルム５５の外周加工をフレキシブルプリント基板３５の外周加工と同時に行うことが可能となり、工程が簡単になると同時に、圧電フィルム５５の劣化も防止することができる。
【００８１】
＜第６の実施形態＞
〔第６の実施形態におけるフレキシブルプリント基板一体型圧電部材と液晶表示パネルの構造：図１０、図１１〕
以下に本発明の第６の実施形態におけるフレキシブルプリント基板一体型圧電部材と液晶表示パネルの構造について図面を参照しながら説明する。第６の実施形態の特徴は、第１の液晶表示パネルと第２の液晶表示パネルをフレキシブルプリント基板で接続し、さらに、フレキシブルプリント基板上には、レシーバー用スピーカーと呼び出し音用スピーカーを設け、各スピーカー用の圧電フィルムは、独立して設けている点である。図１０は、携帯電話器蓋部内のフレキシブルプリント基板とその周囲を示す平面図である。図１１は、レシーバー用スピーカーと呼び出し音用スピーカーの一部を拡大する平面図である。以下に図１０と図１１とを交互に用いて第６の実施形態を説明する。図８と同様な構成部材、名称には同様な記号を用いている。
【００８２】
図１０は、第１の液晶表示パネル４には、第２の液晶表示パネル５とが重なり合って配置され、第１の液晶表示パネルとフレキシブルプリント基板３５とは、ＦＰＣ上第１の液晶表示パネル接続部８１により接続し、第２の液晶表示パネル５の図面右脇を迂回し、紙面奥側で第２の液晶表示パネル５とＦＰＣ上第２の液晶表示パネル接続部８２により接続する。
【００８３】
フレキシブルプリント基板３５上には、レシーバー用スピーカー用の圧電フィルムとして、レシーバー用圧電フィルム６４と、呼び出し音用スピーカー用の圧電フィルムとして、呼び出し音用圧電フィルム６５とを独立する形状に設ける。独立して設けることにより、レシーバー用スピーカー２７を構成する電極と、呼び出し音用スピーカーを構成する電極とを近接して設けても相互に干渉することなく、一方のスピーカーを使用する際に、他スピーカーに信号が印加し、音の干渉および、消費電力の増加を防止することができる。
【００８４】
また、レシーバー用スピーカー２７は、レシーバー用スピーカー電極８３とレシーバー用第１のスピーカー接続電極▲１▼８５と、レシーバー用第１のスピーカー接続電極▲２▼８６とレシーバー用第１のスピーカー接続電極▲３▼８７とからなる。
【００８５】
さらに、フレキシブルプリント基板３５上には、圧電フィルム５５と呼び出し音用スピーカー電極８４と呼び出し音用第１のスピーカー接続電極▲１▼８９と、呼び出し音用第１のスピーカー接続電極９０とからなる呼び出し音用スピーカー２８を有する。
【００８６】
レシーバー用スピーカー２７への信号は、レシーバー用第１のスピーカー接続電極▲１▼８５に接続するレシーバー用ＦＰＣ上配線電極▲１▼１０１を介して、外部回路（図示せず）から信号を印加し、同様に、レシーバー用第１のスピーカー接続電極▲２▼８６に接続するレシーバー用ＦＰＣ上配線電極▲２▼１０２を介して、外部回路（図示せず）から信号を印加する。呼び出し音用スピーカー２８への信号は、呼び出し音用スピーカー接続電極▲１▼８９に接続する呼び出し音用ＦＰＣ上配線電極▲１▼１０５を介して、外部回路（図示せず）から信号を印加し、同様に、呼び出し音用スピーカー接続電極▲２▼９０に接続する呼び出し音用ＦＰＣ上配線電極▲２▼（図示せず）を介して、外部回路（図示せず）から信号を印加する。各ＦＰＣ上配線電極は、相互の干渉を防止するため、平面的に間隙を設けてほぼ平行に配線する。
【００８７】
＜第７の実施形態＞
〔第７の実施形態におけるフレキシブルプリント基板一体型圧電部材と液晶表示パネルの構造：図１２〕
以下に本発明の第７の実施形態におけるフレキシブルプリント基板一体型圧電部材と液晶表示パネルの構造について図面を参照しながら説明する。第７の実施形態の特徴は、フレキシブルプリント基板一体型圧電部材の一部に湾曲部を設け、スピーカーの指向性を向上する点である。図１２は、フレキシブルプリント基板一体型圧電部材と液晶表示パネルの構成を示す断面図である。以下に図１２を用いて第７の実施形態を説明する。第１の実施形態と同様な構成部材、名称には同様な記号を用いている。
【００８８】
図１２は、フレキシブルプリント基板一体型圧電部材とその周囲の関係を示す断面図である。液晶表示パネル４は、第１の基板１と第１の基板上に設ける第１の電極２と、第１の基板１と所定の間隙を設けて対向する第２の基板６と第２の基板上に設ける第２の電極７とを有し、第１の基板と第２の基板とは、第１のシール材１４あるいは、封孔材（図示せず）により、液晶層を封入すると同時に、接着する。さらに、第２の基板６上には第２の基板側から第１の位相差板２１と第１の偏光板２０を有する。第１の基板１の液晶層９と反対の面には、第３の偏光板２４を有する。
【００８９】
第１の液晶表示パネル４を構成する第１の基板１上には、表示領域から延伸する駆動回路接続電極３２と外部回路接続電極３７とを有する。駆動回路接続電極３２と外部回路接続電極３７とは、駆動回路（ＩＣ）部３１と異方性導電性フィルム２６により電気的に接続している。外部回路接続電極３７は、異方性導電フィルムによりフレキシブルプリント基板一体型圧電部材３９と電気的に接続している。フレキシブルプリント基板一体型圧電部材３９は、液晶表示パネルに所定の信号を印加する駆動回路（図示せず）と接続する。
【００９０】
フレキシブルプリント基板一体型圧電部材３９上に、ポリフッ化ビニリデン（ＰＶＤＦ）からなる圧電フィルムとスピーカー電極からなるレシーバー用スピーカーを有する。フレキシブルプリント基板一体型圧電部材３９の下層に設ける回路基板には、凹部を有する湾曲付き回路基板９３を設ける。フレキシブルプリント基板一体型圧電部材３９を構成するフレキシブルプリント基板は前記回路基板の湾曲する形状に沿って湾曲し、ＦＰＣ湾曲部９２となる。湾曲付き回路基板９３とＦＰＣ湾曲部９２とは、粘着層（図示せず）あるいは両面テープにて固定かすると形状を安定して維持できるため良い。
【００９１】
フレキシブルプリント基板上に設けるスピーカーもフレキシブルプリント基板の形状になるため、スピーカー湾曲部９１を形成できる。スピーカーが湾曲するため、駆動回路側に共鳴して大きな音量となり、指向性を持つスピーカーを構成できる。湾曲する面の方向を傾けることにより、方向性を有するスピーカーとすることが可能となる。
【００９２】
＜第８の実施形態＞
〔第８の実施形態におけるフレキシブルプリント基板一体型圧電部材と液晶表示パネルの構造：図１３〕
以下に本発明の第８の実施形態におけるフレキシブルプリント基板一体型圧電部材と液晶表示パネルの構造について図面を参照しながら説明する。第８の実施形態の特徴は、フレキシブルプリント基板一体型圧電部材の一部に光源を設けることである。さらに、フレキシブルプリント基板一体型圧電部材は、光源を有する。光源は、フレキシブルプリント基板一体型圧電部材のスピーカーの振動により振動する点である。図１３は、フレキシブルプリント基板一体型圧電部材と液晶表示パネルの構成を示す断面図である。以下に図１３を用いて第８の実施形態を説明する。第１の実施形態と同様な構成部材、名称には同様な記号を用いている。
【００９３】
図１３は、フレキシブルプリント基板一体型圧電部材とその周囲の関係を示す断面図である。液晶表示パネル４は、第１の基板１と第１の基板上に設ける第１の電極２と、第１の基板１と所定の間隙を設けて対向する第２の基板６と第２の基板上に設ける第２の電極７とを有し、第１の基板と第２の基板とは、第１のシール材１４あるいは、封孔材（図示せず）により、液晶層を封入すると同時に、接着する。さらに、第２の基板６上には第２の基板側から第１の位相差板２１と第１の偏光板２０を有する。第１の基板１の液晶層９と反対の面には、第３の偏光板２４を有する。
【００９４】
第１の液晶表示パネル４を構成する第１の基板１上には、表示領域から延伸する駆動回路接続電極３２と外部回路接続電極３７とを有する。駆動回路接続電極３２と外部回路接続電極３７とは、駆動回路（ＩＣ）部３１と異方性導電性フィルム２６により電気的に接続している。外部回路接続電極３７は、異方性導電フィルムによりフレキシブルプリント基板一体型圧電部材３９と電気的に接続している。フレキシブルプリント基板一体型圧電部材３９は、液晶表示パネルに所定の信号を印加する駆動回路（図示せず）と接続する。
【００９５】
フレキシブルプリント基板一体型圧電部材３９上に、ポリフッ化ビニリデン（ＰＶＤＦ）からなる圧電フィルムとスピーカー電極からなるレシーバー用スピーカーを有する。前記フレキシブルプリント基板一体型圧電部材３９上には、ライトエミッテドダイオード（ＬＥＤ）素子からなるＬＥＤ光源７７を有する。第３の偏光板２４とフレキシブルプリント基板一体型圧電部材３９との間には、第３の偏光板２４側より、プラスチック材料からなる導光板７６と、スピーカー光源部接着層９５を有する。
【００９６】
フレキシブルプリント基板一体型圧電部材３９上にＬＥＤ光源７７と導光板を形成することにより、ＬＥＤ光源７７をスピーカーにより振動することが可能となる。さらに、導光板７６をスピーカーに接着するため、スピーカーの湿度による劣化を防止できる。導光板７６とフレキシブルプリント基板一体型圧電部材３９との間には、反射層（図示せず）を配置する。あるいは、第３の偏光板２４と導光板７６との間には、光学部材、例えばプリズムシートを配置することにより、ＬＥＤ光源７７からの光を有効に液晶表示パネル側に出射することが可能となる。
【００９７】
＜第９の実施形態＞
〔第９の実施形態におけるフレキシブルプリント基板一体型圧電部材と液晶表示パネルの構造：図１４〕
以下に本発明の第９の実施形態におけるフレキシブルプリント基板一体型圧電部材と液晶表示パネルの構造について図面を参照しながら説明する。第９の実施形態の特徴は、主表示体のみと、フレキシブルプリント基板に光源を実装し、バックライトの形状に近い面積のスピーカーを設ける点である。図１４は、携帯電話器蓋部内のフレキシブルプリント基板とその周囲を示す平面図である。以下に図１４を用いて第９の実施形態を説明する。図８と同様な構成部材、名称には同様な記号を用いている。
【００９８】
図１４は、主表示体として液晶表示パネル４と、主パネルの裏面に設けるバックライトユニット８０と、バックライトユニット８０の裏面に設けるフレキシブルプリント基板一体型圧電部材３９と、携帯電話蓋部６７とを有する。バックライトユニット８０は、導光板と各種フィルムからなる光学部材と、各部材を保持するバックライト枠（図示せず）からなる。
【００９９】
フレキシブルプリント基板一体型圧電部材３９は、主表示体から多少内側に配置するレシーバー用圧電フィルム６４と、第１のスピーカー接続電極５３と第２のスピーカー接続電極５７とを有する。本実施形態は、従来例と異なり、液晶表示パネル４の裏面に配置するため、圧電フィルムあるいはスピーカー電極（図示せず）の色付きは問題とならない。さらに、色ムラも問題とならない。さらに、液晶表示パネルの偏光板あるいは液晶層を透過する外光、例えば太陽光が圧電フィルムあるいはスピーカー電極に照射されるため、紫外線による劣化も非常に低減できる。
【０１００】
さらに、フレキシブルプリント基板一体型圧電部材３９には、ＬＥＤ光源７７を複数個実装する。圧電フィルム６４の振動により、ＬＥＤ光源７７も振動し、導光板から出射する光の均一性の向上が可能である。
【０１０１】
＜第１０の実施形態＞
〔第１０の実施形態におけるフレキシブルプリント基板一体型圧電部材と液晶表示パネルの構造：図１５〕
以下に本発明の第１０の実施形態におけるフレキシブルプリント基板一体型圧電部材と液晶表示パネルの構造について図面を参照しながら説明する。第１０の実施形態の特徴は、主表示体のみと、フレキシブルプリント基板に光源を実装し、主表示体とＦＰＣとの接続部近傍に設ける小面積のスピーカーを設ける点である。図１５は、携帯電話器蓋部内のフレキシブルプリント基板とその周囲を示す平面図である。以下に図１５を用いて第１０の実施形態を説明する。図１４と同様な構成部材、名称には同様な記号を用いている。
【０１０２】
図１５は、主表示体として液晶表示パネル４と、主パネルの裏面に設けるバックライトユニット８０と、バックライトユニット８０の裏面に設けるフレキシブルプリント基板一体型圧電部材３９と、携帯電話蓋部６７とを有する。バックライトユニット８０は、導光板と各種フィルムからなる光学部材と、各部材を保持するバックライト枠（図示せず）からなる。
【０１０３】
フレキシブルプリント基板一体型圧電部材３９は、ＦＰＣ上第１の液晶表示パネル接続部８１の近傍に設け、バックライトユニット８０に比較して面積の小さいレシーバー用圧電フィルム６４と、第１のスピーカー接続電極５３と第２のスピーカー接続電極５７とを有する。本実施形態は、従来例と異なり、液晶表示パネル４の裏面にスピーカーを配置するため、圧電フィルムあるいはスピーカー電極（図示せず）の色付きは問題とならない。さらに、色ムラも問題とならない。さらに、液晶表示パネルの偏光板あるいは液晶層を透過する外光、例えば太陽光が圧電フィルムあるいはスピーカー電極に照射されるため、紫外線による劣化も非常に低減できる。
【０１０４】
さらに、フレキシブルプリント基板一体型圧電部材３９には、ＬＥＤ光源７７を複数個実装する。圧電フィルム６４の振動により、ＬＥＤ光源７７も振動し、導光板から出射する光の均一性の向上が可能である。
【０１０５】
スピーカーの面積を限定するため、音量を限定されるが、消費電力の小さいスピーカーを形成できる。さらに、スピーカーをＬＥＤ光源７７の近傍に配置するため、ＬＥＤ光源７７を振動する力は、小面積スピーカーであるが、有効にＬＥＤ光源に伝達できる。
【０１０６】
＜第１１の実施形態＞
〔第１１の実施形態におけるフレキシブルプリント基板一体型圧電部材と液晶表示パネルの構造：図１６〕
以下に本発明の第１１の実施形態におけるフレキシブルプリント基板一体型圧電部材と液晶表示パネルの構造について図面を参照しながら説明する。第１１の実施形態の特徴は、フレキシブルプリント基板の液晶表示パネル側と他方の２面に圧電フィルムからなるスピーカーを設ける点である。図１６は、フレキシブルプリント基板一体型圧電部材と液晶表示パネルの構成を示す断面図である。以下に図１６を用いて第１１の実施形態を説明する。図１３と同様な構成部材、名称には同様な記号を用いている。
【０１０７】
図１６は、フレキシブルプリント基板一体型圧電部材とその周囲の関係を示す断面図である。液晶表示パネル４は、第１の基板１と第１の基板上に設ける第１の電極２と、第１の基板１と所定の間隙を設けて対向する第２の基板６と第２の基板上に設ける第２の電極７とを有し、第１の基板と第２の基板とは、第１のシール材１４あるいは、封孔材（図示せず）により、液晶層を封入すると同時に、接着する。さらに、第２の基板６上には第２の基板側から第１の位相差板２１と第１の偏光板２０を有する。第１の基板１の液晶層９と反対の面には、第３の偏光板２４を有する。
【０１０８】
第１の液晶表示パネル４を構成する第１の基板１上には、表示領域から延伸する駆動回路接続電極３２と外部回路接続電極３７とを有する。駆動回路接続電極３２と外部回路接続電極３７とは、駆動回路（ＩＣ）部３１と異方性導電性フィルム２６により電気的に接続している。外部回路接続電極３７は、異方性導電フィルムによりフレキシブルプリント基板一体型圧電部材３９と電気的に接続している。フレキシブルプリント基板一体型圧電部材３９は、液晶表示パネルに所定の信号を印加する駆動回路（図示せず）と接続する。
【０１０９】
フレキシブルプリント基板の液晶表示パネル側に、ポリフッ化ビニリデン（ＰＶＤＦ）からなる圧電フィルムとスピーカー電極からなるレシーバー用スピーカー２７を有する。さらに、レシーバー用スピーカーとフレキシブルプリント基板に対して対称な面に呼び出し音用スピーカー２８を設ける。音量の関係でレシーバー用スピーカー２７を構成する圧電フィルムの面積に比較して、呼び出し音用スピーカー２８を構成する圧電フィルムの面積を大きくすると消費電力と音量の関係でさらに良い。
【０１１０】
前記フレキシブルプリント基板一体型圧電部材３９上には、ライトエミッテドダイオード（ＬＥＤ）素子からなるＬＥＤ光源７７を有する。第３の偏光板２４とフレキシブルプリント基板一体型圧電部材３９との間には、第３の偏光板２４側より、プラスチック材料からなる導光板７６を有する。
【０１１１】
フレキシブルプリント基板一体型圧電部材３９上にＬＥＤ光源７７と導光板を形成することにより、ＬＥＤ光源７７をスピーカーにより振動することが可能となる。さらに、導光板７６とフレキシブルプリント基板一体型圧電部材３９との間には、反射層（図示せず）を配置する。あるいは、第３の偏光板２４と導光板７６との間には、光学部材、例えばプリズムシートを配置することにより、ＬＥＤ光源７７からの光を有効に液晶表示パネル側に出射することが可能となる。
【０１１２】
以上の説明に示すように、第１１の実施形態を採用することにより、薄型のレシーバー用スピーカーと呼び出し音用スピーカーとを有するフレキシブルプリント基板一体型圧電部材を構成することが可能となる。
【０１１３】
＜第１２の実施形態＞
〔第１２の実施形態におけるフレキシブルプリント基板一体型圧電部材と液晶表示パネルの構造：図１７〕
以下に本発明の第１２の実施形態におけるフレキシブルプリント基板一体型圧電部材と液晶表示パネルの構造について図面を参照しながら説明する。第１２の実施形態の特徴は、表示体は、主表示体のみの構成であり、フレキシブルプリント基板は、外部回路への接続と、主表示体との接続と、レシーバー用ＦＰＣが突出し、突出部にレシーバー用スピーカーを形成する点である。図１７は、携帯電話器蓋部内のフレキシブルプリント基板とその周囲を示す平面図である。図１７を用いて第１２の実施形態を説明する。図１４と同様な構成部材、名称には同様な記号を用いている。
【０１１４】
図１７は、主表示体として液晶表示パネル４と、主パネルの裏面に設けるフレキシブルプリント基板一体型圧電部材３９と、携帯電話蓋部６７とを有する。フレキシブルプリントは、ＦＰＣ上第１の液晶表示パネル接続部８１と、外部回路との接続を行う部分とレシーバー用スピーカー２７を形成する部分の主要３部構成である。レシーバー用スピーカー２７の部分は、ＦＰＣ上第１の液晶表示パネル接続部８１から突出する構成である。フレキシブルプリント基板の面積を小さくすることが可能である。
【０１１５】
レシーバー用スピーカー２７が突出する構成であるため、レシーバー用スピーカー２７とＦＰＣ上第１の液晶表示パネル接続部８１との長さを調節することにより、レシーバー用スピーカー２７をどこの場所にも配置することが可能となる。また、前記レシーバー用スピーカー２７とＦＰＣ上第１の液晶表示パネル接続部８１の間のＦＰＣを折り畳むことも可能である。
【０１１６】
＜第１３の実施形態＞
〔第１３の実施形態におけるフレキシブルプリント基板一体型圧電部材と液晶表示パネルの構造：図１８〕
以下に本発明の第１３の実施形態におけるフレキシブルプリント基板一体型圧電部材と液晶表示パネルの構造について図面を参照しながら説明する。第１３の実施形態の特徴は、フレキシブルプリント基板上にスピーカーと撮像素子を設け、スピーカーと撮像素子が異なる位置に実装され、フレキシブルプリント基板を折り返した際に、ほぼ重なり合う位置に配置する点である。図１８は、フレキシブルプリント基板一体型圧電部材と液晶表示パネルの構成を示す断面図である。以下に図１８を用いて第１３の実施形態を説明する。図１３と同様な構成部材、名称には同様な記号を用いている。
【０１１７】
図１８は、フレキシブルプリント基板一体型圧電部材とその周囲の関係を示す断面図である。液晶表示パネル４は、第１の基板１と第１の基板上に設ける第１の電極２と、第１の基板１と所定の間隙を設けて対向する第２の基板６と第２の基板上に設ける第２の電極７とを有し、第１の基板と第２の基板とは、第１のシール材１４あるいは、封孔材（図示せず）により、液晶層を封入すると同時に、接着する。さらに、第２の基板６上には第２の基板側から第１の位相差板２１と第１の偏光板２０を有する。第１の基板１の液晶層９と反対の面には、第３の偏光板２４を有する。
【０１１８】
第１の液晶表示パネル４を構成する第１の基板１上には、表示領域から延伸する駆動回路接続電極３２と外部回路接続電極３７とを有する。駆動回路接続電極３２と外部回路接続電極３７とは、駆動回路（ＩＣ）部３１と異方性導電性フィルムにより電気的に接続している。外部回路接続電極３７は、異方性導電フィルムによりフレキシブルプリント基板一体型圧電部材３５と電気的に接続している。フレキシブルプリント基板一体型圧電部材３５は、液晶表示パネルに所定の信号を印加する駆動回路（図示せず）と接続する。
【０１１９】
フレキシブルプリント基板には、ポリフッ化ビニリデン（ＰＶＤＦ）からなる圧電フィルムとスピーカー電極からなるレシーバー用スピーカー２７を有する。レシーバー用スピーカー２７の部分は、ＦＰＣ湾曲部９２を有し、ドーム型に湾曲している。さらに、フレキシブルプリント基板３５上には、ＣＭＯＳ型撮像素子あるいは、ＣＣＤ型撮像素子１０８を有する。撮像素子１０８は、フレキシブルプリント基板３５上に設ける撮像素子用回路基板１０９と撮像素子ケース１１０と撮像レンズ１１１から構成する。
【０１２０】
図１８に示すように、フレキシブルプリント基板３５上のレシーバー用スピーカー２７と撮像素子１０８は、フレキシブルプリント基板３５を折り返し、ほぼ重なる部分に設けている。レシーバー用スピーカー２７が薄膜であるため、撮像素子１０８と重なっても厚さは１ｍｍ以下であり、ほとんど厚さの向上にはならない。これは、レシーバー用スピーカー２７の振動を圧電フィルムで行い、さらに、レシーバー用スピーカー２７をフレキシブルプリント基板上に直接実装しているためである。以上により、小型軽量な撮像素子とレシーバー用スピーカー一体型フレキシブルプリント基板を搭載する電子機器を達成できる。
【０１２１】
＜第１４の実施形態＞
〔第１４の実施形態におけるフレキシブルプリント基板一体型圧電部材と液晶表示パネルの構造：図１９〕
以下に本発明の第１４の実施形態におけるフレキシブルプリント基板一体型圧電部材と液晶表示パネルの構造について図面を参照しながら説明する。第１４の実施形態の特徴は、表示体は、主表示体のみの構成であり、フレキシブルプリント基板は、外部回路への接続と、主表示体との接続と、レシーバー用ＦＰＣが突出し、突出部にレシーバー用スピーカーと撮像素子を形成する点である。図１９は、携帯電話器蓋部内のフレキシブルプリント基板とその周囲を示す平面図である。図１９を用いて第１４の実施形態を説明する。図１７と同様な構成部材、名称には同様な記号を用いている。
【０１２２】
図１９は、主表示体として液晶表示パネル４と、主パネルの裏面に設けるフレキシブルプリント基板一体型圧電部材３５と、携帯電話蓋部６７とを有する。フレキシブルプリントは、ＦＰＣ上第１の液晶表示パネル接続部８１と、外部回路との接続を行う部分とレシーバー用スピーカー２７を形成する部分の主要３部構成である。レシーバー用スピーカー２７の部分は、ＦＰＣ上第１の液晶表示パネル接続部８１から突出する構成である。フレキシブルプリント基板の面積を小さくすることが可能である。
【０１２３】
レシーバー用スピーカー２７が突出する構成であるため、レシーバー用スピーカー２７とＦＰＣ上第１の液晶表示パネル接続部８１との長さを調節することにより、レシーバー用スピーカー２７をどこの場所にも配置することが可能となる。また、前記レシーバー用スピーカー２７とＦＰＣ上第１の液晶表示パネル接続部８１の間のＦＰＣを折り畳むことも可能である。
【０１２４】
さらに、レシーバー用スピーカー２７のフレキシブルプリント基板３５を介して裏面には、撮像素子用回路基板１０９上に実装する撮像素子１０８を有する。レシーバー用スピーカー２７とほぼ重なる位置に撮像素子１０９を有するため、非常に小さい面積で撮像素子とレシーバー用スピーカーを同時に搭載することが可能となる。本実施形態では、フレキシブルプリント基板３５の表面にレシーバー用スピーカー２７を、裏面に撮像素子１０８を実装する例を示したが、携帯電話の仕様により、レシーバー用スピーカー２７と撮像素子１０８をフレキシブルプリント基板３５の同一面に実装することも可能であるが、その場合には、レシーバー用スピーカー２７から僅かに浮かして撮像素子１０８を実装することが音質と音量の面からさらに、好ましい。
【０１２５】
＜第１５の実施形態＞
〔第１５の実施形態におけるフレキシブルプリント基板一体型圧電部材を搭載する時計の構造：図２０〕
以下に本発明の第１５の実施形態におけるフレキシブルプリント基板一体型圧電部材を搭載する電子機器である時計の構造について図面を参照しながら説明する。第１５の実施形態の特徴は、太陽電池ユニットとスピーカーを実装するフレキシブルプリント基板を有する時計である点である。図２０は、時計の断面を示す図である。図２０を用いて第１５の実施形態を説明する。
【０１２６】
本発明の時計は、第１の基板１と第１の基板１上に設ける第１の電極（図示せず）と第１の基板１と所定の間隙を設けて対向する第２の基板６と第２の基板上に設ける第２の電極（図示せず）と、シール材１４と封止材（図示せず）により液晶層９を封入してなる液晶表示パネルを有する。さらに、液晶表示パネルの裏面には、半透過反射板１３１と、光源（図示せず）を配置し、さらに、指針軸１２５を有する指針駆動モジュール１２４と回路部１３５を有する。
【０１２７】
指針軸１２５は、液晶表示パネルの貫通孔１２８を貫通し、風防ガラス１２２側に突出し、時針１２７と分針１２６とを有する。液晶表示パネルの風防ガラス１２２側には、所定の位置に開口部を有する時板１２９と貫通孔１２８を目隠しする樹脂部１３８と見切板１３４とを有する。
【０１２８】
回路部１３５には時計駆動のエネルギー源である電池を有する。以上の時計モジュールを時計ケース１２１と裏蓋１２３と風防ガラス１２２内に配置する。回路部１３５から圧電フィルムと各電極とからなるサウンドスピーカー２９を平面実装するフレキシブルプリント基板一体型圧電部材を時計ケースの内周面に一部密着するように設け、さらに、風防ガラス１２２近傍に設ける透過性を有する見返しリング近傍まで設ける。
【０１２９】
見返しリング近傍のフレキシブルプリント基板一体型圧電部材には光発電素子である太陽電池ユニット１４１を設ける。太陽電池ユニットにより発電可能なため、サウンドスピーカーのエネルギーを光により供給できる。
【０１３０】
本実施形態では、スピーカーの音源は、回路部１３５に設けるメモリーＩＣであるが、通信機能を内在することにより、外部音源を時計内のメモリーＩＣに記憶しスピーカーで奏でることができる。さらに、時刻修正のための電波受信回路を内在する時計にも本発明は応用可能であり、その場合には、フレキシブルプリント基板あるいは、サウンドスピーカーを電波受信用のアンテナを設ける近傍以外に設けることにより、電波受信感度を損なうことなく、サウンドスピーカー２９を設けることが可能となる。
【０１３１】
【発明の効果】
以上の説明から明らかなように、本発明のフレキシブルプリント基板一体型圧電部材を採用することにより、スピーカーあるいはレシーバーを薄くすることが可能となる。さらに、表示体と表示体を駆動する駆動回路との接続に使用するフレキシブルプリント基板上にスピーカーを実装するため、実装場所を特に必要としない。さらに、フレキシブルプリント基板と一緒にスピーカーを折り畳むことも可能となる。
【０１３２】
以上の説明により、スピーカーを搭載する面積を小さくすることが出来るとともに、表示体の裏面に配置しても特に厚さの増加にならない。あるいは、表示体の脇、表示体の辺に沿って配置することも可能となる。
【０１３３】
さらに、フレキシブルプリント基板上の電極とスピーカーを構成する電極と直接接続を行うため、接続面積も必要とせず、さらに、フレキシブルプリント基板と保護部材（保護フィルム）との間にスピーカーを実装するため、フレキシブルプリント基板と保護部材によりスピーカーの耐久性を向上することが可能となる。さらに、スピーカーを構成するスピーカー電極とフレキシブルプリント基板上に設ける接続電極との接続は、圧接接続を行い、保護部材で加圧状態とすることにより、接続の安定性を向上することができる。さらに、保護部材上から圧接加圧部材により、さらにスピーカー電極とフレキシブルプリント基板上の電極とを加圧状態とすることにより、スピーカーが振動しても安定な接続を可能とする。
【０１３４】
保護部材を透水性の無いあるいは小さい部材とすることにより、水溶性導電性インキをスピーカー電極として使用することが可能となる。水溶性導電性インキは、圧電フィルムに応力を発生しない、あるいは柔らかく柔軟性があるため、本発明には有効である。さらに、表示体として液晶表示パネルを採用する場合には、液晶表示パネルが非発光表示体のため、内部照明が必要となる。内部照明を構成する光源をフレキシブルプリント基板一体型圧電部材上に実装することにより、スピーカーと光源を一体化することが可能となる。さらに、スピーカーの振動を光源に伝達することにより、光源が振動し、光源の出射方向を広くすることが可能となる、バックライトの輝度分布を低減することが可能となる。
【０１３５】
スピーカーの指向性の構造と、音量の向上のために、スピーカーを搭載する部分のフレキシブルプリント基板に湾局面を設ける。さらに、フレキシブルプリント基板の下層の回路基板に凹部を設け、スピーカーをドーム型とすることにより、スピーカーの指向性を向上することが可能となる。
【０１３６】
第１の液晶表示パネルと第２の液晶表示パネルの間を接続するフレキシブルプリント基板にフレキシブルプリント基板一体型圧電部材を採用することにより、簡単に、小型液晶表示パネルの周囲にスピーカーを配置することが可能となる。さるいは、小型液晶表示パネルの周囲と一部液晶表示パネルから張り出す部分にスピーカーを配置することが可能となる。
【０１３７】
また、本発明を採用することにより、フレキシブルプリント基板上に複数の圧電フィルムを実装し、呼び出し音用スピーカー、レシーバー用スピーカーと個別にスピーカーを設けることができる。しかも、容積を取らず、フレキシブルプリント基板一体型圧電部材を折り畳む、あるいは曲げることで、必要な部分に個々のスピーカーを配置することが可能となる。
【０１３８】
さらにフレキシブルプリント基板一体型圧電部材を構成するフレキシブルプリント基板の表面と裏面の両側に圧電フィルムを設け、スピーカーを形成することにより、音量の向上あるいは、呼び出し音用スピーカーとレシーバー用スピーカーを形成することが可能となる。大音量用として、面積を大きく。小音量用として面積を小さくすることが可能となり、消費電力も可変にすることが可能となる。
【０１３９】
フレキシブルプリント基板一体型圧電部材上に撮像素子を実装することによりフレキシブルプリント基板を撮像素子と平面的に重なる領域あるいはその周囲に設けることが必要となるため、その部分にもスピーカーを設けることが可能となる。そのため、スピーカーを設ける領域が大きくなることと、選択領域が広がることになる。
【０１４０】
本フレキシブルプリント基板一体型圧電部材を時計に採用することにより、小型軽量化が可能となる。さらに、時計のエネルギー源として、発電素子を有する場合には、発電素子をフレキシブルプリント基板一体型圧電部材上に実装することで配線スペースが不要となる。特に発電素子として、太陽電池ユニットを用いる場合には、太陽電池ユニットを風防ガラス側に設け、フレキシブルプリント基板一体型圧電部材で時計駆動用回路基板あるいは、蓄電池側に配線することが簡単にできる。
【０１４１】
フレキシブルプリント基板一体型圧電部材は、時計ケースに一部接触させることにより、時計ケースを振動させることも可能となる。
【図面の簡単な説明】
【図１】本発明の第１の実施形態におけるフレキシブルプリント基板一体型圧電部材を搭載する電子機器の立体模式図である。
【図２】本発明の第１の実施形態におけるフレキシブルプリント基板一体型圧電部材を搭載する電子機器の立体模式図である。
【図３】本発明の第１の実施形態におけるフレキシブルプリント基板一体型圧電部材と液晶表示パネルを示す断面図である。
【図４】本発明の第１の実施形態におけるパネル間フレキシブルプリント基板を示す平面図である。
【図５】本発明の第１の実施形態におけるフレキシブルプリント基板一体型圧電部材の一部を拡大する断面図である。
【図６】本発明の第２の実施形態におけるフレキシブルプリント基板一体型圧電部材の一部を拡大する断面図である。
【図７】本発明の第３の実施形態におけるフレキシブルプリント基板一体型圧電部材と液晶表示パネルを示す断面図である。
【図８】本発明の第４の実施形態におけるフレキシブルプリント基板一体型圧電部材と液晶表示パネルとを搭載する電子機器の一部を示す平面図である。
【図９】本発明の第５の実施形態におけるフレキシブルプリント基板一体型圧電部材と液晶表示パネルとを搭載する電子機器の一部を示す平面図である。
【図１０】本発明の第６の実施形態におけるフレキシブルプリント基板一体型圧電部材と液晶表示パネルとを搭載する電子機器の一部を示す平面図である。
【図１１】本発明の第６の実施形態におけるフレキシブルプリント基板一体型圧電部材の一部を拡大する平面図である。
【図１２】本発明の第７の実施形態におけるフレキシブルプリント基板一体型圧電部材の一部を拡大する断面図である。
【図１３】本発明の第８の実施形態におけるフレキシブルプリント基板一体型圧電部材の一部を拡大する断面図である。
【図１４】本発明の第９の実施形態におけるフレキシブルプリント基板一体型圧電部材と液晶表示パネルとを搭載する電子機器の一部を示す平面図である。
【図１５】本発明の第１０の実施形態におけるフレキシブルプリント基板一体型圧電部材と液晶表示パネルとを搭載する電子機器の一部を示す平面図である。
【図１６】本発明の第１１の実施形態におけるフレキシブルプリント基板一体型圧電部材と液晶表示パネルを示す断面図である。
【図１７】本発明の第１２の実施形態におけるフレキシブルプリント基板一体型圧電部材と液晶表示パネルとを搭載する電子機器の一部を示す平面図である。
【図１８】本発明の第１３の実施形態におけるフレキシブルプリント基板一体型圧電部材と液晶表示パネルを示す断面図である。
【図１９】本発明の第１４の実施形態におけるフレキシブルプリント基板一体型圧電部材と液晶表示パネルとを搭載する電子機器の一部を示す平面図である。
【図２０】本発明の第１５の実施形態におけるフレキシブルプリント基板一体型圧電部材を搭載する時計を示す断面図である。
【図２１】従来例における電子機器の立体模式図である。
【図２２】従来例におけるスピーカー搭載電子機器の一部を示す平面図である。
【符号の説明】
１  第１の基板
２    第１の電極
４  第１の液晶表示パネル
５  第２の液晶表示パネル
９  第１の液晶層
２７  レシーバー用スピーカー
２８  呼び出し音用スピーカー
２９  サウンド用スピーカー
３５  フレキシブルプリント基板
３９  フレキシブルプリント基板一体型圧電部材
６６  携帯電話器
９１  スピーカー湾曲部
１２１時計ケース
【図１】
2005033505.tif 000003
【図２】
2005033505.tif 000004
【図３】
2005033505.tif 000005
【図４】
2005033505.tif 000006
【図５】
2005033505.tif 000007
【図６】
2005033505.tif 000008
【図７】
2005033505.tif 000009
【図８】
2005033505.tif 000010
【図９】
2005033505.tif 000011
【図１０】
2005033505.tif 000012
【図１１】
2005033505.tif 000013
【図１２】
2005033505.tif 000014
【図１３】
2005033505.tif 000015
【図１４】
2005033505.tif 000016
【図１５】
2005033505.tif 000017
【図１６】
2005033505.tif 000018
【図１７】
2005033505.tif 000019
【図１８】
2005033505.tif 000020
【図１９】
2005033505.tif 000021
【図２０】
2005033505.tif 000022
【図２１】
2005033505.tif 000023
【図２２】
2005033505.tif 000024